(57)【要約】【課題】電気機器に関する情報を取得し、ユーザに提示することができる携帯通信装置を提供すること。【解決手段】本発明の携帯通信装置は、無線通信を行う無線通信手段を用いて通信可能な電気機器に関する情報を取得し、取得した電気機器に関する情報のタイトルの一覧を表示手段に表示し、操作手段によりタイトルが選択された場合に選択されたタイトルに対応する電気機器に関する情報の詳細を取得し表示手段に表示するようにすることにより、電気機器に関する情報をユーザに提示するものである。【選択図】      図２
2005027138.tif 000002
【特許請求の範囲】
【請求項１】
情報を表示する表示手段と、操作ボタンを有する操作手段と、無線通信を行う無線通信手段と、前記無線通信手段を用いて通信可能な電気機器に関する情報を取得し、取得した前記電気機器に関する情報のタイトルの一覧を前記表示手段に表示し、前記操作手段により前記タイトルが選択された場合に選択された前記タイトルに対応する前記電気機器に関する情報の詳細を取得し前記表示手段に表示する制御手段と、を具備したことを特徴とする携帯通信装置。
【請求項２】
前記制御手段は前記電気機器に関するタイトルを前記操作手段の操作ボタンの番号に対応させて表示し、前記操作ボタンが押下された場合、押下された前記操作ボタンに対応する前記タイトルに対応する前記タイトルに対応する前記電気機器に関する情報の詳細を取得し前記表示手段に表示することを特徴とする請求項１記載の携帯通信装置。
【請求項３】
前記制御手段は、前記無線通信手段を用いて通信可能な電気機器の一覧を前記表示手段に表示し、前記操作手段により前記電気機器が選択された場合に選択された前記電気機器に関する情報を取得し、取得した前記電気機器に関する情報のタイトルの一覧を前記表示手段に表示することを特徴とする請求項１または請求項２に記載の携帯通信装置。
【請求項４】
前記制御手段は前記通信可能な電気機器を前記操作ボタンの番号に対応させて表示し、前記操作ボタンが押下された場合、押下された前記操作ボタンに対応する前記電気機器に関する情報のタイトルの一覧を前記表示手段に表示することを特徴とする請求項３記載の携帯通信装置。
【請求項５】
前記制御手段は、前記操作ボタン以外の所定のボタンが押下された場合に、前記無線通信手段を用いて前記通信可能な電気機器の制御情報を取得し、取得した前記電気機器の制御情報の一覧を前記表示手段に表示し、前記操作手段により前記制御情報が選択された場合に選択された前記制御情報を前記電気機器に対して送信することを特徴とする請求項１からは請求項４のいずれかに記載の携帯通信装置。
【請求項６】
前記制御手段は、前記電気機器の制御情報を前記操作ボタンの番号に対応させて表示し、前記操作ボタンが押下された場合、押下された前記操作ボタンに対応する前記制御情報を前記電気機器に対して送信することを特徴とする請求項５記載の携帯通信装置。
【発明の詳細な説明】
【０００１】
【発明の属する技術分野】
本発明は、電気機器をリモートコントロールすることが可能な携帯通信装置に関する。
【０００２】
【従来の技術】
従来より、携帯電話装置を用いて、テレビなどの電気機器をリモートコントロールする方法が提案されている（例えば、特許文献１）。
【０００３】
これは、携帯電話装置に予め電気機器のリモートコントロール機能に対応するような赤外線信号波長コードを記憶しておき、この赤外線信号を用いて電気機器をリモートコントロールするものである。
【０００４】
【特許文献１】
特開２００３−７８９７７号公報
【０００５】
【発明が解決しようとする課題】
しかしながら、従来の携帯電話装置は、電気機器に対して一方的に信号を送る構成になっていて、電気機器から電気機器に関する情報を取得することができない。つまり、テレビにおける番組スケジュールや録画予約情報、エアコンにおけるタイマー情報など電気機器に関する可変情報を取得することができない。
【０００６】
このため、ユーザは、携帯電話装置において、電気機器に関する情報を認識し、それに基づいて電気機器を操作するということができないという問題がある。
【０００７】
本発明は、かかる点に鑑みてなされたものであり、電気機器に関する情報を取得し、ユーザに提示することができる携帯通信装置を提供することを目的とする。
【０００８】
【課題を解決するための手段】
本発明の携帯通信装置は、無線通信を行う無線通信手段を用いて通信可能な電気機器に関する情報を取得し、取得した電気機器に関する情報のタイトルの一覧を表示手段に表示し、操作手段によりタイトルが選択された場合に選択されたタイトルに対応する電気機器に関する情報の詳細を取得し表示手段に表示するようにした。
【０００９】
これにより、電気機器に関する情報を取得し、ユーザに提示することができる。
【００１０】
【発明の実施の形態】
本発明の第１の態様にかかる携帯通信装置は、情報を表示する表示手段と、操作ボタンを有する操作手段と、無線通信を行う無線通信手段と、前記無線通信手段を用いて通信可能な電気機器に関する情報を取得し、取得した前記電気機器に関する情報のタイトルの一覧を前記表示手段に表示し、前記操作手段により前記タイトルが選択された場合に選択された前記タイトルに対応する前記電気機器に関する情報の詳細を取得し前記表示手段に表示する制御手段と、を具備した構成を採る。
【００１１】
これにより、電気機器に関する情報の詳細を取得し、ユーザに提示することができる。これにより、ユーザは、携帯通信装置において、電気機器に関する情報を認識することができる。
【００１２】
本発明の第２の態様は、第１の態様にかかる携帯通信装置において、前記制御手段は前記電気機器に関するタイトルを前記操作手段の操作ボタンの番号に対応させて表示し、前記操作ボタンが押下された場合、押下された前記操作ボタンに対応する前記タイトルに対応する前記タイトルに対応する前記電気機器に関する情報の詳細を取得し前記表示手段に表示する。
【００１３】
このように、電気機器に関する情報のタイトルをテンキーと対応させて表示することにより、ユーザがテンキーと電気機器の情報の対応関係を把握できる。また、ユーザが、テンキーの所望の番号を押下することにより、所望の電気機器の情報を選択することができる。
【００１４】
本発明の第３の態様は、第１の態様または第２の態様にかかる携帯通信装置において、前記制御手段は、前記無線通信手段を用いて通信可能な電気機器の一覧を前記表示手段に表示し、前記操作手段により前記電気機器が選択された場合に選択された前記電気機器に関する情報を取得し、取得した前記電気機器に関する情報のタイトルの一覧を前記表示手段に表示する。
【００１５】
これにより、ユーザが検出した電気機器を把握できる。
【００１６】
本発明の第４の態様は、第３の態様にかかる携帯通信装置において、前記制御手段は前記通信可能な電気機器を前記操作ボタンの番号に対応させて表示し、前記操作ボタンが押下された場合、押下された前記操作ボタンに対応する前記電気機器に関する情報のタイトルの一覧を前記表示手段に表示する。
【００１７】
これにより、ユーザが、テンキーの所望の番号を押下することにより、所望の電気機器を選択することができる。
【００１８】
本発明の第５の態様は、第１の態様から第４の態様のいずれかにかかる携帯通信装置において、前記制御手段は、前記操作ボタン以外の所定のボタンが押下された場合に、前記無線通信手段を用いて前記通信可能な電気機器の制御情報を取得し、取得した前記電気機器の制御情報の一覧を前記表示手段に表示し、前記操作手段により前記制御情報が選択された場合に選択された前記制御情報を前記電気機器に対して送信する。
【００１９】
これにより、携帯通信装置を電気機器のリモコンとして使用できる。この結果、ユーザは日頃慣れ親しんだ携帯通信装置を使用することで電気機器を制御することができる。また、携帯通信装置は、無線通信手段を用いて、電気機器の制御情報を取得するので、予め電気機器の制御情報を蓄積しておく必要がない。これにより、携帯通信装置は、いかなる電気機器であっても、通信可能であれば、リモートコントロールすることができる。つまり、携帯通信装置は、携帯通信装置の製造後に発売になった電気機器のリモートコントロールもできる。
【００２０】
本発明の第６の態様は、第５の態様にかかる携帯通信装置において、前記制御手段は、前記電気機器の制御情報を前記操作ボタンの番号に対応させて表示し、前記操作ボタンが押下された場合、押下された前記操作ボタンに対応する前記制御情報を前記電気機器に対して送信する。
【００２１】
これにより、テンキーを操作するという単純な操作により、所望の制御信号を電気機器に対して送信できる。
【００２２】
以下、本発明の一実施の形態にかかる携帯通信装置を適用した携帯電話装置について添付図面を用いて詳細に説明する。
【００２３】
まず、上記実施の形態にかかる携帯電話装置の構成について図１を用いて説明する。図１は、上記実施の形態にかかる携帯電話装置の概観図である。
【００２４】
本形態にかかる携帯電話装置１００の一方の面の下方部には、ユーザが各種情報を入力するための操作部１０１が設けられている。
【００２５】
操作部１０１の下方部には、数字などの文字情報を入力するための複数のキーが設けられた操作ボタンであるテンキー１０２が設けられている。
【００２６】
また、操作部１０１のテンキー１０２の上方左方には、他の携帯電話と通話するための通話ボタン１０３が設けられている。また、操作部１０１のテンキー１０２の上方右方には、他の携帯電話との通話を終了する終了ボタン１０４が設けられている。
【００２７】
また、操作部１０１のテンキー１０２と通話ボタン１０３との間には、各種設定を行う場合に各種設定メニューを選択するためのメニューボタン１０５が設けられている。また、操作部１０１のテンキー１０２と終了ボタン１０４との間には、着信時に音声ではなく振動による通知などを行うモードであるマナーモードなどの各種モードを設定するためのモードボタン１０６が設けられている。
【００２８】
また、操作部１０１の通話ボタン１０３、終了ボタン１０４、メニューボタン１０５、およびモードボタン１０６の間には、後述する表示部１０８に表示した情報をスクロールするためのスクロールボタン１０７が設けられている。スクロールボタン１０７は、上下左右の４方向入力ができるボタンである。
【００２９】
また、携帯電話装置１００の操作部１０１の上方には、各種情報を表示するための表示部１０８が設けられている。表示部１０８は、ＬＣＤ等で構成されている。
【００３０】
また、携帯電話装置１００の下端部には、音声を入力するための音声入力部１０９が設けられている。また、携帯電話装置１００の上端部には、音声を出力するための音声出力部１１０が設けられている。
【００３１】
また、携帯電話装置１００の上端には、他の携帯電話装置から送られてきた無線信号を受信するためのアンテナ１１１が設けられている。
【００３２】
次に、携帯電話装置１００のハード構成について図２を用いて説明する。図２は、携帯電話装置１００のハードブロック図である。なお、既に説明した部分と同一の部分には同一の符号を付与し、詳細な説明を省略する。
【００３３】
携帯電話装置１００には、全体を制御する制御部２０１が設けられている。制御部２０１は、ＣＰＵなどで構成されている。
【００３４】
また、携帯電話装置１００には、アンテナ１１１で受信した無線信号を制御部２０１が理解できる情報に復調したり、アンテナ１１１に対して送る情報を無線信号に変調したりする携帯通信部２０２が設けられている。
【００３５】
また、携帯電話装置１００には、着信があった場合に、着信音を出力する鳴動部２０３が設けられている。
【００３６】
また、携帯電話装置１００には、テレビなどの電気機器と無線通信を行う無線通信部２０４が設けられている。無線通信部２０４は、ＷＬＡＮ（ＷＩＲＥＬＥＳＳ  ＬＡＮ）、近距離無線であるＵＷＢ（Ｕｌｔｒａ  Ｗｉｄｅ  Ｂａｎｄ）、および赤外線を用いた通信であるＩｒＤＡ（Ｉｎｆｒａｒｅｄ  Ｄａｔａ  Ａｓｓｏｃｉａｔｉｏｎ）などを用いて電気機器と各種情報の送受信を行う。
【００３７】
このように、携帯電話装置１００は、無線通信部２０４を具備することにより、電気機器と情報の送受信ができる。
【００３８】
次に、携帯電話装置１００が通信を行う電気機器について説明する。ここでは、図３を用いて電気機器であるテレビについて説明する。図３は、本実施の形態にかかるテレビのブロック図である。
【００３９】
本実施の形態にかかるテレビ３００には、全体を制御する制御部３０１が設けられている。制御部３０１は、ＣＰＵなどで構成されている。
【００４０】
また、テレビ３００には、番組や番組スケジュールなどの情報を放送から受信する放送受信部３０２が設けられている。放送受信部３０２は、ＥＰＧ（Ｅｌｅｃｔｒｉｃ  Ｐｒｏｇｒａｍ  Ｇｕｉｄｅ）などで構成されている。
【００４１】
また、テレビ３００には、放送受信部３０２が受信した番組や番組に関する情報を表示する表示部３０３が設けられている。また、テレビ３００には、放送受信部３０２が受信した番組や番組に関する情報の音声を出力する音声出力部３０４が設けられている。さらに、テレビ３００には、放送受信部３０２が受信した番組や番組に関する情報を蓄積する蓄積部３０５が設けられている。
【００４２】
また、テレビ３００には、表示部３０３に表示された情報に対して各種操作を行う操作部３０６が設けられている。
【００４３】
また、テレビ３００には、携帯電話装置１００と無線を用いた通信を行う無線通信部３０７が設けられている。無線通信部３０７は、ＷＬＡＮ、ＵＷＢ、およびＩｒＤＡなどを用いて携帯電話装置１００と各種情報の送受信を行う。
【００４４】
このように、テレビ３００は、無線通信部３０７を具備することにより、携帯電話装置１００からの制御信号を受信できると共に、携帯電話装置１００に対して番組などの各種情報の送信も行うことができる。
【００４５】
なお、本実施の形態では、電気機器としてテレビ３００を説明したが、テレビ３００以外であっても無線通信部３０７を具備し携帯電話装置１００と無線通信が行える電気機器であればいかなる物であっても良い。
【００４６】
次に、携帯電話装置１００が電気機器と通信しながら行う処理について図４を用いて説明する。図４は、本実施の形態にかかる携帯電話装置１００の動作フローチャートである。
【００４７】
まず、携帯電話装置１００の制御部２０１は、無線通信部２０４を用いて、通信可能な電気機器を検出する（ＳＴ４０１）。次に、携帯電話装置１００の制御部２０１は、図５に示すように、検出した電気機器の一覧を表示部１０８に表示する（ＳＴ４０２）。
【００４８】
具体的には、携帯電話装置１００の制御部２０１は、検出した電気機器であるテレビ、ＭＤプレーヤー、ＰＣ、エアコン、およびＤＶＤプレーヤーの一覧をテンキー１０２の番号に対応させて表示する。
【００４９】
これにより、ユーザがテンキー１０２の番号と検出した電気機器の対応関係を把握できる。また、ユーザが、テンキー１０２の所望の番号を押下することにより、所望の電気機器を選択することができる。
【００５０】
次に、携帯電話装置１００の制御部２０１は、ユーザがテンキー１０２を選択し、押下することで、通信可能な電気機器を選択するのを待つ（ＳＴ４０３）。
【００５１】
そして、携帯電話装置１００の制御部２０１は、ユーザによりテンキー１０２が選択されると、無線通信部２０４を用いて電気機器の無線通信部３０７と通信をする。
【００５２】
次に、携帯電話装置１００の制御部２０１は、電気機器の蓄積部３０５に蓄積された、ユーザが選択したテンキー１０２の番号に対応する電気機器の情報を取得する（ＳＴ４０４）。そして、携帯電話装置１００の制御部２０１は、取得した電気機器の情報のタイトル一覧をテンキー１０２の番号に対応させて表示する（ＳＴ４０５）。
【００５３】
ＳＴ４０５において、携帯電話装置１００が表示する電気機器一覧の例を図６および図７を用いて説明する。
【００５４】
図６は、ＳＴ４０３において、番号１が選択された場合、つまりテレビが選択された場合に表示される電気機器の情報のタイトル一覧を示した図である。図６からわかるように、携帯電話装置１００は、テレビに関する情報のタイトルを表示する。
【００５５】
具体的には、携帯電話装置１００は、テレビが放送受信部３０２を用いて受信したテレビに関する情報のタイトルである、今日の映画、今日の音楽、今日のアニメ、今週の英語、および今週の予告、ユーザ操作に関する情報であるユーザ録画予約確認および録画予約を、テンキー１０２の番号に対応させて表示する。
【００５６】
また、図７は、ＳＴ４０３において、番号５が選択された場合、つまりＤＶＤプレーヤーが選択された場合に表示される電気機器に関する情報のタイトル一覧を示した図である。図７からわかるように、携帯電話装置１００は、ＤＶＤプレーヤーに関する情報のタイトルを表示する。
【００５７】
具体的には、携帯電話装置１００は、ＤＶＤプレーヤーに入っているＤＶＤに記憶されている映像情報の一覧をテンキーの番号１に対応させて表示する。
【００５８】
また、ＳＴ４０３において、番号３が選択された場合、つまりＰＣが選択された場合には、携帯電話装置１００は、ＰＣに関する情報のタイトル、例えばメール着信の有無などを表示する。
【００５９】
また、ＳＴ４０３において、番号４が選択された場合、つまりエアコンが選択された場合には、携帯電話装置１００は、エアコンに関する情報のタイトル、タイマー予約情報や温度設定情報などを表示する。
【００６０】
このように、携帯電話装置１００が、電気機器に関する情報のタイトルをテンキー１０２の番号と対応させて表示することにより、ユーザはテンキー１０２の番号と電気機器の情報の対応関係を把握できる。
【００６１】
また、ユーザが、テンキー１０２の所望の番号を押下することにより、所望の電気機器の情報を選択することができる。
【００６２】
次に、携帯電話装置１００の制御部２０１は、ユーザがテンキー１０２を選択し、押下することで、電気機器の情報を選択するのを待つ（ＳＴ４０６）。
【００６３】
そして、携帯電話装置１００の制御部２０１は、ユーザによりテンキー１０２が選択されると、無線通信部２０４を用いて電気機器の無線通信部３０７と通信をする。
【００６４】
次に、携帯電話装置１００の制御部２０１は、電気機器の蓄積部３０５に蓄積された、ユーザが選択したテンキー１０２の番号に対応する電気機器の情報の詳細を取得する。そして、携帯電話装置１００の制御部２０１は、取得した電気機器の詳細情報の一覧をテンキー１０２の番号に対応させて表示する（ＳＴ４０７）。
【００６５】
ＳＴ４０７において、携帯電話装置１００が表示する電気機器一覧の例について図８を用いて説明する。
【００６６】
図８は、携帯電話装置１００が図７に示すＤＶＤの情報を表示している際に、番号１が選択された場合、つまりＤＶＤに蓄積された映像情報が選択された場合に表示される家電情報の詳細情報の一覧を示した図である。図８からわかるように、携帯電話装置１００は、ＤＶＤに関する詳細情報である、記憶された、日付、時間、およびタイトルの情報が表示する。
【００６７】
また、携帯電話装置１００が図６に示すテレビの情報を表示している際に、番号１が選択された場合、携帯電話装置１００は、今日の映画情報の一覧を表示する。
【００６８】
このように、携帯電話装置１００が、電気機器に関する情報の詳細を表示することにより、ユーザが電気機器に関する情報の詳細情報を把握できる。
【００６９】
一方、ＳＴ４０６において、ユーザがテンキー１０２ではなくて、モードボタン１０６を押下した場合には（ＳＴ４０８）、携帯電話装置１００の制御部２０１は、リモートコントローラとしての処理に移行する。
【００７０】
具体的には、携帯電話装置１００の制御部２０１は、無線通信部２０４を用いて電気機器の無線通信部３０７と通信を行う。
【００７１】
次に、携帯電話装置１００の制御部２０１は、電気機器の蓄積部３０５に蓄積された、電気機器の制御情報を取得する。そして、携帯電話装置１００の制御部２０１は、取得した電気機器の制御情報の一覧をテンキー１０２の番号に対応させて表示する（ＳＴ４０９）。
【００７２】
次に、携帯電話装置１００の制御部２０１は、ユーザがテンキー１０２を選択し、押下することで、電気機器の制御情報を選択するのを待つ（ＳＴ４１０）。
【００７３】
そして、携帯電話装置１００の制御部２０１は、ユーザによりテンキー１０２が選択されると、テンキー１０２に対応した制御情報を電気機器に送信することで、電気機器をリモートコントロールする（ＳＴ４１１）。
【００７４】
例えば、携帯電話装置１００が図６に示すテレビの情報を表示している際に、モードボタン１０６が選択された場合、携帯電話装置１００は、図９に示すように、テレビに関する制御情報であるチャンネル選択情報の一覧をテンキー１０２に対応させて表示する。そして、ユーザによりテンキー１０２が押下されると、携帯電話装置１００は、押下されたテンキー１０２の番号に対応するチャンネルを選択するための情報をテレビに送信する。
【００７５】
また、携帯電話装置１００が図７に示すＤＶＤの情報を表示している際に、モードボタン１０６が選択された場合、携帯電話装置１００は、図１０に示すように、ＤＶＤに関する制御情報の一覧をテンキー１０２に対応させて表示する。そして、ユーザによりテンキー１０２が押下されると、携帯電話装置１００は、押下されたテンキー１０２の番号に対応する制御情報をＤＶＤプレーヤーに送信する。
【００７６】
例えば、ユーザが、携帯電話装置１００が図７に示すＤＶＤの情報を表示している際に、キー番号９、つまりタイトル入力を選択すると、携帯電話装置１００は、図８に示すような情報を表示し、ユーザに対して、タイトル、日付、時間などの入力をさせるようにする。
【００７７】
このように、ユーザが携帯電話装置１００を電気機器のリモコンとして使用できる。これにより、ユーザは日頃慣れ親しんだ携帯電話装置１００を使用することで電気機器を制御することができる。
【００７８】
また、ユーザが携帯電話装置１００のテンキー１０２を操作するという単純な操作により、所望の制御信号を電気機器に対して送信できる。特に、文字入力に関しては、慣れ親しんだ携帯電話装置１００の入力方法を使えるので、ユーザは簡単にかつ高速に文字入力をすることができる。
【００７９】
また、携帯電話装置１００は、無線通信部２０４を用いて、電気機器の制御情報を取得するので、予め電気機器の制御情報を蓄積しておく必要がない。これにより、携帯電話装置１００は、いかなる電気機器であっても、通信可能であれば、リモートコントロールすることができる。つまり、携帯電話装置１００は、携帯電話装置１００の製造後に発売になった電気機器のリモートコントロールもできる。
【００８０】
以上説明したように、上記実施の形態によれば、携帯電話装置１００は、無線通信部２０４を用いることで電気機器に関する情報の詳細を取得し、ユーザに提示することができる。これにより、ユーザは、携帯電話装置１００において、電気機器に関する情報を認識し、それに基づいて電気機器を操作するということができる。
【００８１】
また、上記実施の形態によれば、電気機器に関する情報をテンキー１０２と対応させて表示することができる。ユーザはテンキー１０２を押下するという単純な処理により、所望の電気機器に関する情報を取得できる。
【００８２】
なお、本実施の形態では、携帯電話装置１００とテレビ３００などの電気機器が直接通信を行う形態で説明したが、携帯電話装置１００が複数の電気機器との通信を行うサーバと通信を行い、このサーバが電気機器と通信を行う形態でも良い。これにより、携帯電話装置１００は、複数の電気機器と通信を行わなくても、サーバとだけ通信を行えば良くなる。このため、携帯電話装置１００は、サーバとだけ通信できるような構成を具備すればよく、部品点数の軽減ができる。
【００８３】
尚、本実施の形態において、テンキーは操作を入力する物理的なボタンまたは液晶ディスプレイ上に表示しタッチパネルとして操作できる論理的なボタンまたはその他ダイヤル、トラックボール、マウスなどによる操作が可能な操作入力部でもよい。
【００８４】
また、電気機器側からどのようなボタン（押下型、スライダー型、ボリューム型など）が操作できるのかを、最初に通信する段階で取得して、適切なボタンにアサインしても良い。
【００８５】
また、テンキーにより操作できる制御情報一覧などの操作メニューの内容及び順番は上記実施の形態に限定されない。
【００８６】
さらに、同操作メニューの順番をユーザが良く使う順にしてもよいし、ユーザがいる場所や時間（帯）によって、順番を切り替えても良い。
【００８７】
さらに、ユーザのウィークディとウィークエンドの通信状況や操作履歴を記録保存しておき、同じウィークディまたはウィークエンドの同時間帯において、ユーザが次に行う操作を予測し、予め操作メニューとして提示したり、提示しかつユーザに知らせたりしてもよい。
【００８８】
また、一度操作した機器への接続情報（アドレスなど）や、機器の制御情報を機器アドレス帳に保存し、次回アクセスする際に機器アドレス帳から選択しても良い。
【００８９】
また、例えば、携帯電話からＴＶを制御し、ＥＰＧを表示している際に、ＥＰＧで選択した番組をＴＶとは別のＤＶＤへダビングする操作（ＤＶＤの機能）をＴＶの制御情報として取得し、ＴＶに対して、「ＴＶからＤＶＤを操作し、該当する番組の録画を行う」制御を行っても良い。
【００９０】
また、例えば、携帯電話からＤＶＤを制御し、ＤＶＤに記録される番組（オーディオビデオデータ）を携帯電話で再生できるフォーマットで取得し、ＤＶＤに記録される番組と同じ番組の縮小版コピーを、持ち出した携帯電話の画面上で編集し（例えば、コマーシャルフィルムのカット）、再度携帯電話からＤＶＤを制御し、編集情報（カット点の時間情報など）をＤＶＤへ送信し、ＤＶＤ側でその編集情報に基づき、オリジナルのＤＶＤに記録される番組の編集を行っても良い。
【００９１】
なお、本実施の形態では、携帯通信装置として、携帯電話装置を例に説明したが、これ以外であっても良い。例えば、携帯通信装置としては、ＰＤＡやＰＣなどがある。
【００９２】
【発明の効果】
以上説明したように、本発明の携帯電話装置によれば、無線通信を用いて電気機器と通信し、電気機器に関する情報を取得し、ユーザに提示することができる。
【図面の簡単な説明】
【図１】本発明の一実施の形態にかかる携帯電話装置の概観図
【図２】上記実施の形態にかかる携帯電話装置のハードブロック図
【図３】上記実施の形態にかかるテレビのブロック図
【図４】上記実施の形態にかかる携帯電話装置の動作フローチャート
【図５】上記実施の形態にかかる携帯電話装置が表示する情報を示す第１の図
【図６】上記実施の形態にかかる携帯電話装置が表示する情報を示す第２の図
【図７】上記実施の形態にかかる携帯電話装置が表示する情報を示す第３の図
【図８】上記実施の形態にかかる携帯電話装置が表示する情報を示す第４の図
【図９】上記実施の形態にかかる携帯電話装置が表示する情報を示す第５の図
【図１０】上記実施の形態にかかる携帯電話装置が表示する情報を示す第６の図
【符号の説明】
１００  携帯電話装置
１０１  操作部
１０２  テンキー
１０６  モードボタン
１０８  表示部
２０１、３０１  制御部
２０２  携帯通信部
２０４  無線通信部
３００  テレビ
３０２  放送受信部
３０７  無線通信部
【図１】
2005027138.tif 000003
【図２】
2005027138.tif 000004
【図３】
2005027138.tif 000005
【図４】
2005027138.tif 000006
【図５】
2005027138.tif 000007
【図６】
2005027138.tif 000008
【図７】
2005027138.tif 000009
【図８】
2005027138.tif 000010
【図９】
2005027138.tif 000011
【図１０】
2005027138.tif 000012